(57)【特許請求の範囲】
【請求項１】
仕様を指定する仕様データをラッチ信号によりラッチして出力するラッチ部と、
前記ラッチ部から出力される仕様データに基づいて、相異なる周期で駆動パルスを含む複数の駆動信号の何れかを出力する信号出力部と、
前記信号出力部から出力される駆動信号に基づいてモーターを駆動する駆動部と、
前記複数の駆動信号のうち前記駆動パルスの周期が最も短い駆動信号における前記各駆動パルスの発生前のタイミングで少なくともアクティブレベルとなるように前記ラッチ信号を生成する制御部と
を具備する電子時計。
【請求項２】
前記仕様データを記憶する記憶部を具備し、
前記ラッチ部は、前記記憶部から読み出された前記仕様データをラッチする
請求項１の電子時計。
【請求項３】
複数の電圧の何れかが供給される設定端子を具備し、
前記ラッチ部は、前記設定端子の電圧に応じた前記仕様データを前記ラッチ信号によりラッチして出力する
請求項１の電子時計。
【請求項４】
前記駆動パルスは、複数のサブパルスを含み、
前記制御部は、相前後するサブパルスの間の期間において、前記ラッチ信号をアクティブレベルとする
請求項１から請求項３の何れかの電子時計。
【請求項５】
前記制御部は、前記複数の駆動信号の各々における駆動パルスの発生前のタイミングでアクティブレベルとなるように前記ラッチ信号を生成する
請求項１から請求項４の何れかの電子時計。
【発明の詳細な説明】
【技術分野】
【０００１】
本発明は、電子時計に関する。
【背景技術】
【０００２】
例えば秒針や分針等の指針を回転させるための駆動装置を、仕様が相違する複数種の電子時計で共用するための各種の技術が従来から提案されている。例えば特許文献１には、相異なる周期で発生する複数の駆動パルスの何れかを、機器の仕様を指定するデータに応じて選択する構成が開示されている。特許文献１の技術では、電源電圧が所定値を下回る電圧まで低下した場合に、電源電圧の低下に対応する仕様が選択される。
【先行技術文献】
【特許文献】
【０００３】
【特許文献１】特開２０１４−１０２１１２号公報
【発明の概要】
【発明が解決しようとする課題】
【０００４】
ところで、例えば電子時計の落下時の衝撃に起因した電源電圧のチャタリングや静電気による電圧の瞬間的な変動等に起因して、電子時計の仕様を指定するデータが、実際の仕様に対応した適正な内容とは異なる内容に突発的に変更される場合がある。したがって、電子時計の適正な動作が阻害され、結果的に利用者が違和感を覚える可能性がある。以上の事情を考慮して、本発明は、突発的に変更された仕様データを適正な内容に迅速に修正することを目的とする。
【課題を解決するための手段】
【０００５】
以上の課題を解決するため、本発明の好適な態様に係る電子時計は、仕様を指定する仕様データをラッチ信号によりラッチして出力するラッチ部と、ラッチ部から出力される仕様データに基づいて、相異なる周期で駆動パルスを含む複数の駆動信号の何れかを出力する信号出力部と、信号出力部から出力される駆動信号に基づいてモーターを駆動する駆動部と、複数の駆動信号のうち駆動パルスの周期が最も短い駆動信号における各駆動パルスの発生前のタイミングで少なくともアクティブレベルとなるようにラッチ信号を生成する制御部とを具備する。以上の態様では、複数の駆動信号のうち駆動パルスの周期が最も短い駆動信号における各駆動パルスの発生前のタイミングで少なくともアクティブレベルとなるようにラッチ信号が生成される。したがって、ラッチ部から出力される仕様データが突発的に変動した場合に、仕様データを適正な内容に迅速に修正することが可能である。
【０００６】
本発明の好適な態様に係る電子時計は、仕様データを記憶する記憶部を具備し、ラッチ部は、記憶部から読み出された仕様データをラッチする。また、他の態様に係る電子時計は、複数の電圧の何れかが供給される設定端子を具備し、ラッチ部は、設定端子の電圧に応じた仕様データをラッチ信号によりラッチして出力する。
【０００７】
本発明の好適な態様において、駆動パルスは、複数のサブパルスを含み、制御部は、相前後するサブパルスの間の期間において、ラッチ信号をアクティブレベルとする。以上の態様では、駆動パルスを構成する各サブパルスの間の期間においてラッチ信号がアクティブレベルに設定される。すなわち、駆動パルスの期間内にラッチ部が仕様データをラッチする。したがって、ラッチ部から出力される仕様データが駆動パルスの期間内に突発的に変動した場合でも、直後の駆動パルスを待たずに仕様データを迅速に修正することが可能である。
【０００８】
本発明の好適な態様において、制御部は、複数の駆動信号の各々における駆動パルスの発生前のタイミングでアクティブレベルとなるようにラッチ信号を生成する。以上の態様では、複数の駆動信号の各々における駆動パルスの発生前のタイミングでアクティブレベルとなるようにラッチ信号が生成される。したがって、ラッチ部が出力する仕様データを迅速に修正できるという前述の効果は各別に顕著である。
【図面の簡単な説明】
【０００９】
【図１】本発明の第１実施形態に係る電子時計の構成図である。
【図２】電子時計で使用される各信号の波形図である。
【図３】対比例における問題点の説明図である。
【図４】第１実施形態の効果の説明図である。
【図５】第２実施形態に係る電子時計の構成図である。
【図６】第２実施形態の電子時計で使用される各信号の波形図である。
【図７】第３実施形態における駆動パルスおよびラッチ信号の波形図である。
【図８】第４実施形態の電子時計で使用される各信号の波形図である。
【図９】変形例の電子時計で使用される各信号の波形図である。
【発明を実施するための形態】
【００１０】
＜第１実施形態＞
図１は、本発明の第１実施形態に係る電子時計１００を例示する構成図である。図１に例示される通り、第１実施形態の電子時計１００は、駆動装置１２とモーター１４と指針１６と電源部１８とを具備する電子機器である。利用者の手首に装着される腕時計が電子時計１００の典型例であるが、電子時計１００の具体的な形態は任意である。
【００１１】
指針１６は、時刻の指示に使用される秒針や分針である。モーター１４は、指針１６を回転させる。第１実施形態のモーター１４は、コイル１４２とローター１４４とを含むステッピングモーターである。駆動パルスＯ1および駆動パルスＯ2がコイル１４２に供給されることでローター１４４が回転し、歯車等を含む輪列（図示略）を介してローター１４４の回転が指針１６に伝達されることで指針１６が回転する。電源部１８は、例えば電池を含んで構成され、電源電圧ＶDDおよび接地電圧ＶSSを駆動装置１２に供給する。
【００１２】
駆動装置１２は、電源部１８からの給電によりモーター１４を駆動する電子回路であり、例えばＩＣ（Integrated Circuit）チップの形態で電子時計１００に実装される。第１実施形態の駆動装置１２は、仕様が相違する複数種の電子時計１００に使用され得る。図１に例示される通り、第１実施形態の駆動装置１２は、発振回路２２と制御部２４と記憶部２６とラッチ部２８と信号出力部３０と駆動部３２とを具備する。なお、駆動装置１２の要素を複数のＩＣチップに分散することも可能である。
【００１３】
発振回路２２は、水晶振動子等の発振源２２０を利用して所定の周波数の発振信号を生成する。制御部２４は、発振回路２２が生成した発振信号を分周する分周回路を含んで構成され、駆動装置１２の各要素の動作のタイミングを規定する各種の信号（例えば、読込信号Ｒ，ラッチ信号Ｌ，基準信号Ｃ）を生成する。
【００１４】
記憶部２６は、例えば半導体メモリー等で構成された不揮発性のメモリーである。第１実施形態の記憶部２６は、駆動装置１２が搭載される電子時計１００の仕様を指定するデータ（以下「仕様データ」という）Ｄを記憶する。例えば電子時計１００の仕様に応じた内容の仕様データＤが電子時計１００の出荷前に記憶部２６に格納される。第１実施形態の記憶部２６は、制御部２４が生成した読込信号Ｒに応じて仕様データＤを出力する。
【００１５】
ラッチ部２８は、記憶部２６に保持された仕様データＤをラッチして信号出力部３０に出力する。具体的には、ラッチ部２８は、制御部２４が生成したラッチ信号Ｌにより規定されるタイミングで記憶部２６から仕様データＤを取込み、信号出力部３０に対する当該仕様データＤの出力を保持する。
【００１６】
信号出力部３０は、信号生成部４２と信号生成部４４と選択部４６とを具備する。制御部２４が生成した基準信号Ｃが信号生成部４２および信号生成部４４に供給される。基準信号Ｃは所定の周期のクロック信号である。信号生成部４２は、基準信号Ｃに基づいて駆動信号ＸAを生成する。信号生成部４４は、基準信号Ｃに基づいて駆動信号ＸBを生成する。駆動信号ＸAは、駆動信号ＸA1と駆動信号ＸA2とを含み、駆動信号ＸBは、駆動信号ＸB1と駆動信号ＸB2とを含む。
【００１７】
図２は、電子時計１００で使用される各信号の波形図である。図２に例示される通り、駆動信号ＸA1と駆動信号ＸA2と駆動信号ＸB1と駆動信号ＸB2とは駆動パルスＰXを含む。駆動パルスＰXは、駆動部３２によるモーター１４の駆動に使用されるパルスである。第１実施形態では、複数のサブパルスを相互に間隔をあけて櫛歯状に配列した波形の駆動パルスＰXを例示する。駆動パルスＰXの直後には検出パルスＰDが設定される。検出パルスＰDは、駆動パルスＰXと同様に櫛歯状のパルス波形であり、ローター１４４の回転を検出するために使用される。なお、検出パルスＰDを使用した回転の検出については、例えば特開２００３−３３３８９６号公報や特開２０１３−２５５３９３号公報に開示されている。
【００１８】
図２に例示される通り、駆動信号ＸA1および駆動信号ＸA2の各々には、複数の駆動パルスＰXが周期２ＴAで設定される。駆動パルスＰXの時間軸上の位置は、駆動信号ＸA1と駆動信号ＸA2とで相違する。すなわち、駆動信号ＸA1と駆動信号ＸA2とを含む駆動信号ＸAには、駆動パルスＰXが周期ＴAで設定される。他方、駆動信号ＸB1および駆動信号ＸB2の各々には、複数の駆動パルスＰXが周期２ＴBで設定される。駆動パルスＰXの時間軸上の位置は、駆動信号ＸB1と駆動信号ＸB2とで相違する。すなわち、駆動信号ＸB1と駆動信号ＸB2とを含む駆動信号ＸBには、複数の駆動パルスＰXが周期ＴBで設定される。図２から理解される通り、周期ＴBは周期ＴAと比較して長い。具体的には、周期ＴBは周期ＴAの整数倍に設定される。例えば、周期ＴAは１秒に設定され、周期ＴBは２０秒に設定される。
【００１９】
図１の選択部４６は、信号生成部４２が生成した駆動信号ＸA（ＸA1，ＸA2）と、信号生成部４４が生成した駆動信号ＸB（ＸB1，ＸB2）との何れかを、ラッチ部２８から出力される仕様データＤに応じて選択的に出力する。第１実施形態の仕様データＤは、指針１６（例えば秒針）を周期ＴAで駆動する第１仕様と、指針１６（例えば分針）を周期ＴBで駆動する第２仕様との何れかを指定する。仕様データＤが第１仕様を指定する電子時計１００では、選択部４６は、駆動パルスＰXが周期ＴAで設定された駆動信号ＸAを駆動信号Ｘ（Ｘ1，Ｘ2）として選択する。他方、仕様データＤが第２仕様を指定する電子時計１００では、選択部４６は、駆動パルスＰXが周期ＴBで設定された駆動信号ＸBを駆動信号Ｘ（Ｘ1，Ｘ2）として選択する。図２の例示では、仕様データＤのハイレベルは第１仕様を意味し、仕様データＤのローレベルは第２仕様を意味する。図２では、指針１６を周期ＴAで駆動する第１仕様を仕様データＤが指定する場合を便宜的に例示した。
【００２０】
選択部４６が選択した駆動信号Ｘが駆動部３２に供給される。具体的には、駆動信号ＸA1および駆動信号ＸA2の組と、駆動信号ＸB1および駆動信号ＸB2の組との何れかが、駆動信号Ｘ1および駆動信号Ｘ2として駆動部３２に供給される。以上の説明から理解される通り、第１実施形態の信号出力部３０は、駆動パルスＰXの周期が相違する複数の駆動信号（周期ＴAの駆動信号ＸAおよび周期ＴBの駆動信号ＸB）の何れかを出力する要素として機能する。
【００２１】
駆動部３２は、信号出力部３０から出力される駆動信号Ｘに基づいてモーター１４を駆動する。具体的には、駆動部３２は、駆動信号Ｘ1の各駆動パルスＰXに応じた駆動パルスＯ1と駆動信号Ｘ2の各駆動パルスＰXに応じた駆動パルスＯ2とをモーター１４のコイル１４２に供給する。仕様データＤが第１仕様を指定する電子時計１００では、図２に例示される通り、駆動パルスＯ1および駆動パルスＯ2が周期ＴA（例えば１秒）毎に交互にコイル１４２に供給される。したがって、指針１６（例えば秒針）が周期ＴAで順次に駆動される。他方、仕様データＤが第２仕様を指定する電子時計１００では、駆動パルスＯ1および駆動パルスＯ2が周期ＴB（例えば２０秒）毎に交互にコイル１４２に供給される。
【００２２】
図２に例示される通り、制御部２４は、電子時計１００の電源の投入（時点ｔ0）の直後に、読込信号Ｒとラッチ信号Ｌとをアクティブレベル（図２の例示ではハイレベル）に設定する。以上の動作により、記憶部２６から仕様データＤが出力され、かつ、当該仕様データＤがラッチ部２８によりラッチされる。すなわち、駆動信号ＸAおよび駆動信号ＸBの何れを駆動部３２に出力するかは、電子時計１００の電源の投入の直後に仕様データＤに応じて確定される。
【００２３】
さらに、第１実施形態の制御部２４は、記憶部２６による仕様データＤの出力とラッチ部２８による当該仕様データＤのラッチとが、駆動信号ＸAにおける各駆動パルスＰXの発生前のタイミングで実行されるように、記憶部２６およびラッチ部２８を制御する。具体的には、制御部２４は、図２に例示される通り、駆動信号ＸAにおける複数の駆動パルスＰXの各々の発生前のタイミングで、読込信号Ｒとラッチ信号Ｌとをアクティブレベルに設定する。すなわち、読込信号Ｒおよびラッチ信号Ｌは、駆動信号ＸAと同等の周期ＴAで順次にアクティブレベルに設定される。以上の説明から理解される通り、第１実施形態では、ラッチ部２８による仕様データＤのラッチが、電源の投入の直後だけではなく、以降の通常の動作状態のもとでも周期的に反復される。
【００２４】
ところで、例えば電子時計１００の落下時の衝撃や静電気等の外乱に起因して、電源電圧ＶDDが瞬間的に変動（チャタリング）する場合がある。電源電圧ＶDDの瞬間的な変動が発生すると、ラッチ部２８から信号出力部３０に出力される仕様データＤの内容が突発的に変化する可能性がある。第１実施形態では、ラッチ部２８による仕様データＤのラッチが複数回にわたり反復されるから、以下に詳述する通り、電源電圧ＶDDの変動に起因して突発的に変動した仕様データＤを適正な内容に迅速に修正することが可能である。
【００２５】
図３は、電源の投入（時点ｔ0）の直後においてのみラッチ部２８が仕様データＤをラッチする構成（以下「対比例」という）における動作の説明図である。図３では、図２と同様に、仕様データＤが第１仕様を指定する場合（仕様データＤがハイレベルに設定された場合）が想定されている。
【００２６】
図３に例示される通り、電源電圧ＶDDの瞬間的な変動が発生すると、ラッチ部２８から信号出力部３０に出力される仕様データＤのレベルが、時点ｔ1において、第１仕様に対応するハイレベルから第２仕様を意味するローレベルに反転し得る。したがって、駆動パルスＰXを周期ＴBで設定した駆動信号ＸBが信号出力部３０から駆動部３２に出力される状態に遷移し、結果的に指針１６が周期ＴBで駆動される。以上の状態では、本来ならばモーター１４に出力されるべき駆動パルス（Ｏ1，Ｏ2）が図３の区間Ｅでは出力されない。すなわち、指針１６が周期ＴAで回転する適正な動作が阻害され、利用者が違和感を覚える可能性がある。
【００２７】
図４は、第１実施形態の構成のもとで電源電圧ＶDDの瞬間的な変動が発生した場合の動作の説明図である。図４に例示される通り、第１実施形態においても、信号出力部３０に出力される仕様データＤのレベルが、本来の仕様に対応するハイレベルからローレベルに時点ｔ1にて反転し得る。しかし、第１実施形態では、電源電圧ＶDDの変動の時点ｔ1の直後に、駆動信号ＸAの各駆動パルスＰXの発生前の時点ｔ2にてラッチ信号Ｌがアクティブレベルに設定される。したがって、記憶部２６に保持された仕様データＤが改めてラッチされ、信号出力部３０に出力される仕様データＤのレベルが、電子時計１００の本来の仕様に対応するハイレベルに修正される。すなわち、第１実施形態によれば、図３の対比例と比較して、電源電圧ＶDDの変動に起因して突発的に変動した仕様データＤを適正な内容に迅速に修正することが可能である。第１実施形態では特に、駆動信号ＸAおよび駆動信号ＸBのうち周期が短い駆動信号ＸAにおける各駆動パルスＰXの発生前にラッチ信号Ｌがアクティブレベルに設定される。したがって、駆動信号ＸBの各駆動パルスＰXの発生前にラッチ信号Ｌをアクティブレベルに設定する構成と比較して、突発的に変動した仕様データＤを迅速に修正できるという前述の効果は各別に顕著である。
【００２８】
＜第２実施形態＞
本発明の第２実施形態を説明する。なお、以下に例示する各態様において作用や機能が第１実施形態と同様である要素については、第１実施形態の説明で使用した符号を流用して各々の詳細な説明を適宜に省略する。
【００２９】
図５は、第２実施形態における電子時計１００を例示する構成図である。図５に例示される通り、第２実施形態の電子時計１００は、第１実施形態の記憶部２６を図５のプルダウン回路３４に置換した構成である。プルダウン回路３４は、設定端子３６の電圧に応じた仕様データＤを出力する回路であり、設定端子３６と接地線（接地電圧ＶSS）との間に介在して両者間の電気的な接続を制御するスイッチ３４２を具備する。スイッチ３４２は、例えばｎチャネル型のトランジスターで構成され、制御部２４から供給される制御信号Ｑに応じてオン状態またはオフ状態の何れかに設定される。
【００３０】
設定端子３６は、電子時計１００の仕様を指定するための端子である。例えばＩＣチップのボンディングオプション用端子が設定端子３６として好適に使用される。電子時計１００の仕様に応じて設定端子３６の電圧状態が選定される。具体的には、指針１６を周期ＴAで駆動する第１仕様の電子時計１００では、設定端子３６が電源電圧ＶDDに設定され、指針１６を周期ＴBで駆動する第２仕様の電子時計１００では、設定端子３６が開放状態（オープン状態）に設定される。
【００３１】
図６は、第２実施形態の電子時計１００で使用される各信号の波形図である。図６に例示される通り、第２実施形態の制御信号Ｑは、第１実施形態の読込信号Ｒと同様の波形である。すなわち、電子時計１００の電源の投入（時点ｔ0）の直後のタイミングと、駆動信号ＸAの各駆動パルスＰXの発生前のタイミングとにおいて、制御信号Ｑとラッチ信号Ｌとがアクティブレベルに設定される。
【００３２】
制御信号Ｑがアクティブレベルに設定されると、設定端子３６の電圧に応じた仕様データＤがラッチ部２８に供給される。具体的には、設定端子３６が電源電圧ＶDDに設定される第１仕様では、電源電圧ＶDDが仕様データＤとしてラッチ部２８に供給される。他方、設定端子３６が開放状態に設定される第２仕様では、制御信号Ｑによりスイッチ３４２がオン状態に遷移すると、設定端子３６が接地電圧ＶSSに設定される。したがって、接地電圧ＶSSが仕様データＤとしてラッチ部２８に供給される。ラッチ信号Ｌに応じてラッチ部２８が仕様データＤをラッチする動作や信号出力部３０および駆動部３２の動作は、第１実施形態と同様である。第２実施形態においても第１実施形態と同様の効果が実現される。
【００３３】
＜第３実施形態＞
図７は、第３実施形態におけるラッチ信号Ｌと駆動パルスＰXとの関係の説明図である。図７に例示される通り、各駆動信号（ＸA1，ＸA2，ＸB1，ＸB2）の駆動パルスＰXは、複数（図７の例示では５個）のサブパルスｐSを含む。第１実施形態のラッチ信号Ｌは、駆動パルスＰXの発生前に加えて、駆動パルスＰXの期間内でもアクティブレベルに設定される。具体的には、制御部２４は、相前後するサブパルスｐSの間の各期間δにおいてラッチ信号Ｌをアクティブレベルに設定する。したがって、記憶部２６から出力される仕様データＤは、駆動パルスＰXの発生前のほか、各サブパルスｐSの間の各期間δでもラッチ部２８によりラッチされる。
【００３４】
第３実施形態においても第１実施形態と同様の効果が実現される。ところで、第１実施形態や第２実施形態では、ラッチ部２８から信号出力部３０に出力される仕様データＤが駆動パルスＰXの途中の時点で突発的に変動した場合には、直後の駆動パルスＰXの発生前まで仕様データＤを修正できない。これに対して第３実施形態では、駆動パルスＰXの期間内にラッチ信号Ｌがアクティブレベルに設定される。したがって、ラッチ部２８から出力される仕様データＤが駆動パルスＰXの期間内に突発的に変動した場合に、直後の駆動パルスＰXを待たずに仕様データＤを迅速に修正できるという利点がある。
【００３５】
＜第４実施形態＞
図８は、第４実施形態の電子時計１００で使用される各信号の波形図である。図８に例示される通り、第４実施形態では、駆動信号ＸA（ＸA1，ＸA2）の各駆動パルスＰXと駆動信号ＸB（ＸB1，ＸB2）の各駆動パルスＰXとが時間軸上で相互に重複しないように各駆動パルスＰXの位置が選定される。具体的には、駆動信号ＸBの駆動パルスＰXは、駆動信号ＸAの駆動パルスＰXに対して時間τだけ遅延した時点で発生する。
【００３６】
図８に例示される通り、第４実施形態の制御部２４は、駆動信号ＸAおよび駆動信号ＸBの各々における駆動パルスＰXの発生前のタイミングでアクティブレベルとなるようにラッチ信号Ｌおよび読込信号Ｒ（第２実施形態では制御信号Ｑ）を生成する。すなわち、ラッチ信号Ｌおよび読込信号Ｒは、駆動信号ＸA1および駆動信号ＸA2の駆動パルスＰXの発生前のタイミングと、駆動信号ＸB1および駆動信号ＸB2の駆動パルスＰXの発生前のタイミングとの双方でアクティブレベルに設定される。
【００３７】
具体的には、図８に例示される通り、駆動信号ＸAの各駆動パルスＰXの発生前にアクティブレベルとなるラッチ信号ＬAと、駆動信号ＸBの各駆動パルスＰXの発生前にアクティブレベルとなるラッチ信号ＬBとの論理和によりラッチ信号Ｌは生成される。同様に、駆動信号ＸAの各駆動パルスＰXの発生前にアクティブレベルとなる読込信号ＲAと、駆動信号ＸBの各駆動パルスＰXの発生前にアクティブレベルとなる読込信号ＲBとの論理和により読込信号Ｒは生成される。以上の説明から理解される通り、駆動信号ＸAおよび駆動信号ＸBの双方における各駆動パルスＰXの発生前に、ラッチ部２８による仕様データＤのラッチが実行される。
【００３８】
第４実施形態においても第１実施形態と同様の効果が実現される。また、第４実施形態では、駆動信号ＸAおよび駆動信号ＸBの各々における駆動パルスＰXの発生前のタイミングでラッチ信号Ｌがアクティブレベルに設定される。すなわち、突発的に変動した仕様データＤが駆動パルスＰXの発生の直前に修正される。したがって、例えば電源電圧ＶDDの変動に起因して突発的に変更された仕様データＤを迅速に修正できるという前述の効果は各別に顕著である。
【００３９】
なお、第３実施形態および第４実施形態においてラッチ部２８に仕様データＤを供給するための構成としては、記憶部２６を利用する第１実施形態の構成と、プルダウン回路３４を利用する第２実施形態の構成との何れかが採用され得る。
【００４０】
＜変形例＞
以上に説明した実施形態は多様に変形され得る。具体的な変形の態様を以下に例示する。以下の例示から任意に選択された２以上の態様は、相互に矛盾しない範囲内で適宜に併合され得る。
【００４１】
（１）前述の各形態では、複数のサブパルスｐSを配列した櫛歯状の駆動パルスＰXを例示したが、駆動パルスＰXの波形は以上の例示に限定されない。例えば、図９に例示される通り、単体の矩形波を駆動パルスＰXとして利用することも可能である。
【００４２】
（２）前述の各形態では、駆動信号ＸAおよび駆動信号ＸBの２種類を仕様データＤに応じて選択する構成を例示したが、仕様データＤに応じた選択の候補となる信号の種類数は２種類に限定されない。すなわち、駆動パルスＰXの周期が相違する３種類以上の駆動信号の何れかを信号出力部３０が仕様データＤに応じて出力することも可能である。突発的に変動した仕様データＤを迅速に修正するという観点からは、複数の駆動信号のうち駆動パルスＰXの周期が最も短い駆動信号（前述の各形態では駆動信号ＸA）における各駆動パルスＰXの発生前のタイミングで少なくともアクティブレベルとなるように制御部２４がラッチ信号Ｌを生成する構成が好適である。
【００４３】
（３）前述の各形態では、信号生成部４２が生成した駆動信号ＸAと信号生成部４４が生成した駆動信号ＸBとの何れかを選択部４６が選択する構成を例示したが、駆動信号ＸAおよび駆動信号ＸBの何れかを選択的に出力するための構成は以上の例示に限定されない。例えば、駆動信号ＸAおよび駆動信号ＸBの何れかを仕様データＤに応じて選択的に生成することも可能である。具体的には、仕様データＤが第１仕様を指定する場合には、信号生成部４２に駆動信号ＸAを生成させる一方、信号生成部４４による駆動信号ＸBの生成は停止させる。他方、仕様データＤが第２仕様を指定する場合には、信号生成部４４に駆動信号ＸBを生成させる一方、信号生成部４２による駆動信号ＸAの生成は停止させる。以上の構成では選択部４６が不要である。以上の例示から理解される通り、前述の各形態における信号出力部３０は、複数の駆動信号（ＸA，ＸB）の何れかを仕様データＤに基づいて出力する要素として包括的に表現され、複数の駆動信号を実際に生成して何れかを選択的に出力するか、複数の駆動信号の何れかを選択的に生成するかは不問である。
【符号の説明】
【００４４】
１００…電子時計、１２…駆動装置、１４…モーター、１４２…コイル、１４４…ローター、１６…指針、１８…電源部、２２…発振回路、２２０…発振源、２４…制御部、２６…記憶部、２８…ラッチ部、３０…信号出力部、３２…駆動部、３４…プルダウン回路、３６…設定端子、４２，４４…信号生成部、４６…選択部４６。
【図１】
0006536446.tif 000002
【図２】
0006536446.tif 000003
【図３】
0006536446.tif 000004
【図４】
0006536446.tif 000005
【図５】
0006536446.tif 000006
【図６】
0006536446.tif 000007
【図７】
0006536446.tif 000008
【図８】
0006536446.tif 000009
【図９】
0006536446.tif 000010